(57)【要約】ＣＡＮバスシステムの加入者をウェイクアップさせる装置であって、バスシステム上を伝達される信号の少なくとも１つの所定の信号特性を検出する検出手段が設けられ、少なくとも１つの検出された信号特性の振る舞いに従って、更なる別のウェイクアップ工程が開始される、上記装置において、少なくとも１つの信号特性のうちの１つの少なくとも２つの推移、パターン、又はシーケンスが定められ、加入者群をウェイクアップさせるための推移、パターン、又はシーケンスと、加入者を個別にウェイクアップさせるための第２の推移又は第のパターン又は第２のシーケンスと、が利用されることを特徴とする上記装置が請求される。【選択図】図５
2013504831.tif 000002
【特許請求の範囲】
【請求項１】
ＣＡＮバスシステムの加入者をウェイクアップさせる装置であって、前記バスシステム上で伝達される信号の少なくとも１つの所定の信号特性を検出する検出手段が設けられ、前記少なくとも１つの検出された信号特性の振る舞いに従って、更なる別の前記ウェイクアップ工程が開始される、前記装置において、前記少なくとも１つの信号特性のうちの１つの、少なくとも２つの推移、パターン、又はシーケンスが定められ、加入者群をウェイクアップさせるための推移又はパターン又はシーケンスと、加入者を個別にウェイクアップさせるための第２の推移又は第２のパターン又は第２のシーケンスと、が利用されることを特徴とする、ＣＡＮバスシステムの加入者をウェイクアップさせる装置。
【請求項２】
所定の信号特性として、前記信号のエッジ又はエッジ変更が検出されることを特徴とする、請求項１に記載の装置。
【請求項３】
所定の信号特性として、信号レベル、又は、複数の信号レベルの特定の組み合わせが検出されることを特徴とする、請求項１に記載の装置。
【請求項４】
カウンタは、前記少なくとも１つの信号特性のうちの１つの発生を少なくとも数えるために設けられることを特徴とする、請求項１〜３のいずれか１項に記載の装置。
【請求項５】
カウンタ又はタイマは、検出された信号特性の発生時点間の時間を少なくとも検出するために設けられることを特徴とする、請求項１〜３のいずれか１項に記載の装置。
【請求項６】
更なる別のウェイクアップ工程のために利用される、前記少なくとも１つの信号特性の推移、パターン、又はシーケンスが、そのために設けられたメモリに格納されることを特徴とする、請求項１〜５のいずれか１項に記載の装置。
【請求項７】
ＣＡＮバスシステムの加入者をウェイクアップさせる方法であって、前記バスシステム上で伝達される信号の少なくとも１つの所定の信号特性を検出する検出手段が設けられ、前記少なくとも１つの検出された信号特性の振る舞いに従って、更なる別の前記ウェイクアップ工程が開始される、前記方法において、前記少なくとも１つの信号特性のうちの１つの少なくとも２つの推移、パターン、又はシーケンスが定められ、加入者群をウェイクアップさせるための推移又はパターン又はシーケンスと、加入者を個別にウェイクアップさせるための第２の推移又は第２のシーケンス又は第２のシーケンスが利用されることを特徴とする、ＣＡＮバスシステムの加入者をウェイクアップさせる方法。
【請求項８】
任意のメッセージが送信され、前記任意のメッセージは、当該メッセージから、前記少なくとも１つの信号特性の１つ以上が検出され評価されることで、ウェイクアップメッセージとして評価されることを特徴とする、請求項７に記載の方法。
【請求項９】
前記少なくとも１つの信号特性のうちの１つが、カウンタによって数えられ、及び、少なくとも１つの閾値又は限界値と比較され、前記比較の結果に従って、前記ウェイクアップ工程が開始され又は実行されることを特徴とする、請求項８記載の方法。
【請求項１０】
前記少なくとも１つの信号特性のうちの１つの発生時に時間が決定されることを特徴とする、請求項７に記載の方法。
【請求項１１】
前記以前に定められた時間が少なくとも１度新たに経過した後に、前記少なくとも１つの信号特性のうちの１つの前記値から２進情報が定められ、このようにして定められた前記２進情報のうちの複数から、信号特性の推移又はパターン又はシーケンスが作成され、少なくとも１つの格納された推移又は少なくとも１つの格納されたシーケンス又は少なくとも１つの格納されたパターンと比較され、前記比較の結果に従って、前記ウェイクアップ工程が開始され若しくは実行され、又は、開始されず若しくは実行されないことを特徴とする、請求項１０に記載の方法。
【請求項１２】
第１のステップにおいて、前記少なくとも１つの信号特性のうちの１つがカウンタによって数えられて、少なくとも１つの閾値又は限界値と比較され、前記第１の比較の結果に従って前記ウェイクアップ工程の第２のステップが開始され、第２のステップにおいて、前記少なくとも１つの信号特性のうちの１つの前記値から時間が定められ、前記定められた時間が少なくとも１度新たに経過した後に２進情報が定められ、このようにして定められた前記２進情報のうちの複数から、信号特性の推移又はシーケンス又はパターンが作成され、少なくとも１つの格納された推移又は少なくとも１つの格納されたシーケンス又は少なくとも１つの格納されたパターンと比較され、前記第２の比較の結果に従って、前記ウェイクアップ工程が実施され又は実施されないことを特徴とする、請求項７に記載の方法。
【請求項１３】
ウェイクアップメッセージが複数回送信され、アイドル状態において受信されたメッセージがウェイクアップメッセージとして評価され、前記更なる別のウェイクアップ工程の開始後に、前記ウェイクアップメッセージの新たな受信が予期され、新たな受信後に、個々の加入者又は加入者群について選択される前記ウェイクアップ方法の前記第２のステップが実施されることを特徴とする、請求項７〜１２のいずれか１項に記載の方法。
【請求項１４】
アイドル状態において受信されたメッセージがウェイクアップメッセージとして評価され、前記ウェイクアップ方法の前記第１のステップと、個々の加入者又は加入者群について選択される前記第２のステップとが、一度受信された同一のメッセージの評価によって実施されることを特徴とする、請求項７〜１２のいずれか１項に記載の方法。
【請求項１５】
請求項１〜６のいずれか１項に記載の装置を備えるバスシステムの加入者。
【発明の詳細な説明】
【技術分野】
【０００１】
本発明は、バスシステムの加入者をウェイクアップさせる方法及び装置と、独立請求項の上位概念に記載の対応する加入者と、とに基づいている。
【背景技術】
【０００２】
点火の停止時にも或る程度の監視及び制御機能を実施しうるために、車両内の制御装置に電圧が継続的に供給されるように益々なっている（クランプ３０性能（Ｋｌｅｍｍｅ  ３０  Ｆａｅｈｉｇｋｅｉｔ）とも呼ばれる）。これは例えば、アクセス制御及び走行制御、又は、診断ケースでありうる。電力消費を削減するために、制御装置は所謂スリープモード（Ｓｌｅｅｐｍｏｄｅ）に置かれる。このことは、電圧調整器を停止することにより、又は、マイクロコントローラが対応する駆動モードに入ることにより行われる。
【０００３】
必要であれば、制御装置をウェイクアップさせる必要がある。このことは、そのために設けられた、加入者のマイクロコントローラのウェイクアップ入力口又は電圧調整器のウェイクアップ入力口への線を介して行われる。今日一般的にネットワーク化されているシステムにおいては、このことは、バス線上でのアクション（Ａｋｔｉｖｉｔａｅｔ）によっても行われうる。
【０００４】
その際の欠点は、全ての必要な制御装置に対して別々のウェイクアップ線を敷設する必要があり、又は、ウェイクアップ時にバスを介して全ての制御装置が、即ち必要とされていない制御装置も、所望の又は望まれぬバスアクション（Ｂｕｓａｋｔｉｖｉｔａｅｔ）により、即ち、バス上の通信により又はバス上のノイズによりウェイクアップされることにある。
【０００５】
今日のＣＡＮトランシーバは、基本的に２つのモード、即ち、通信のためのアクティブ（ａｋｔｉｖ）モードと、電力を節約するアイドル状態のためのスリープモードと、で駆動可能である。アプリケーションプログラムは、所望の駆動モードを調整することができ、トランシーバは、自身がＣＡＮバス上で信号又は信号特性、例えば、ドミナントビット（ｄｏｍｉｎａｎｔｅｓ  Ｂｉｔ）を検出し次第、特に自動的にスリープモードからアクティブモードへと変わる。トランシーバがスリープモードである間、残りのＣＡＮノードを停止可能であり、ＣＡＮトランシーバがアクティブモードに変わり次第、残りのＣＡＮノードが再び作動される。
【０００６】
独国特許出願公開第１０３５８５８４号明細書は、ＣＡＮメッセージの８バイト長のデータフィールドからの８ビット長のパターンを複号する回路によって、ＣＡＮトランシーバがどのように拡張されるかという方法を記載している。これにより、ＣＡＮトランシーバは４つのモードで駆動されうる。以前に記載されたモードに加えて、更なる別の節電モードと、中間モードと、が設けられる。トランシーバは、ＣＡＮバス上でドミナントビットを検出し次第、スリープモードから自動的に節電モードに変わる。節電モードでは、トランシーバは信号特性を検出し、所定の時間内に複数の信号特性、例えばエッジを検出した場合には中間モードに変わる。トランシーバは、新たに送信されたＣＡＮメッセージの８バイト長のデータフィールド内に特定のパターンを検出し次第、トランシーバは当該データフィールドを固有の方法で複号するのだが、中間モードからアクティブモードにようやく変わる。このウェイクアップパターンは、各ＣＡＮトランシーバのために別々に設定される。このメッセージのＣＡＮ識別子は、この方法のために固定で予め定められる。トランシーバがこのメッセージ内にウェイクアップパターンを検出しない場合には、節電モードに戻る。中間モードでは、電力消費が節電モードよりもわずかに高く、残りのＣＡＮノードは停止されたままであってよい。これにより、個々のノードが制御されて電力節約型の節電モードに置かれる一方で、他のノードがＣＡＮバスを介して通信するＣＡＮネットワークが可能となる。個々のノードは節電モードから選択的にウェイクアップされうる。このことは、セレクティブ・ウェイクアップ（ｓｅｌｅｋｔｉｖｅｒ  Ｗａｋｅｕｐ）とも呼ばれうる。
【０００７】
従って、車両内で使用されるバス、特にＣＡＮバスを介して、必要な機能を実現するために利用される制御装置のみを選択的にウェイクアップさせることが可能である。
【発明の概要】
【発明が解決しようとする課題】
【０００８】
本発明の課題は、ＣＡＮネットワーク内で個々のノード及びノード群を同時にウェイクアップさせることが可能な最適化された方法を提示することである。
【課題を解決するための手段】
【０００９】
本発明は、ＣＡＮバスシステムの加入者をウェイクアップさせる方法及び装置であって、バスシステム上を伝達される信号の少なくとも１つの所定の信号特性を検出する検出手段が設けられ、それに基づいて更なる別のウェイクアップ工程が開始される、上記方法及び装置において、少なくとも１つの信号特性のうちの１つの少なくとも２つの推移、パターン、又はシーケンス、特にパターンが定められ、一群をウェイクアップさせるための１のものと、個別にウェイクアップさせるための第２のものと、が利用されることを特徴とする上記方法及び装置に基づいている。
【００１０】
好適に、所定の信号特性として、信号のエッジ又はエッジ変更が設けられる。同様に有利に、所定の信号特性として、信号レベル、又は、複数の信号レベルの特定の組み合わせが設けられうる。
【００１１】
少なくとも１つの信号特性のうちの１つの発生時に時間が決定され、上記信号特性からの第１の発生後に、このように決定された時間から、当該時間に関連して、バスシステムの加入者の選択的なウェイクアップを可能とする２進情報が得られることは特に有利である。
【００１２】
その際に、獲得された情報からウェイクアップすべき加入者が読み出され、その際に、このことは、スリープモードから出るために案内されたメッセージ、又は、新たに送信された更なる別のウェイクアップメッセージ又はメッセージによって行われる。
【００１３】
好適に、バスに接続された制御装置は、自身のマイクロコントローラを完全に停止し、又は、同様に停止されたクロックジェネレータと共にスリープモードにし、その際、バスに接続されたトランシーバのみ、特に、電力消費（Ｌｅｉｓｔｕｎｇｓａｕｆｎａｈｍｅ）が最も小さいＣＡＮトランシーバのみに、予備電源（Ｓｔａｎｄ−Ｂｙ−Ｓｔｒｏｍｖｅｒｓｏｒｇｕｎｇ）を設ければよい。本発明に基づいて、信号特性の発生時に決定される時間を利用することによって、利用されるバスシステムの伝送レートに依存せずに複号を行うことが可能であり、評価によって追加的に、バスシステム内の通信ブロックと関連してブロック構成内のエラーが検出される。
【００１４】
メッセージが、更なる別のウェイクアップ工程の開始後に新たに送信され、それに基づいて、どの加入者が選択的に完全にウェイクアップされるかが定められることは特に有利である。これにより、メッセージを誤ってウェイクアップメッセージとして解釈することが効果的に防止されうる。しかしながら、ウェイクアップ工程の２つのステップが、１つのメッセージの評価に沿って行われるということも可能である。
【００１５】
セレクティブ・ウェイクアップ機能によるＣＡＮトランシーバを介したウェイクアップ方法の設定可能性は、本発明にかかる方法により拡大される。なぜならば、本方法は、１つのパターンのみならず、少なくとも２つのパターンを設定されるからである。
【００１６】
本発明の利点は、アプリケーションプログラムが、１つのＣＡＮメッセージによって複数のＣＡＮノードを同時に節電モードからウェイクアップさせられることにある。これにより、ＣＡＮバス上の時間と帯域幅が節約される。個々のＣＡＮノードをウェイクアップさせるという可能性は確保される。
【００１７】
更なる別の利点及び好適な構成は、以下の記載及び請求項の特徴から明らかとなろう。
【図面の簡単な説明】
【００１８】
本発明は、図面に示される図を用いてより詳細に解説される。
【図１】複数、少なくとも２つの加入者を備えたバスシステムを示す。
【図２】フローチャートの形態で本発明にかかる方法の流れを示す。
【図３】ウェイクアップ情報がデータフィールド内に符号化されたメッセージを例示する。
【図４】信号特性を定めるための、情報が符号化されたデータフィールド内のブロックの本発明にかかる構成を示す。
【図５】一群ウェイクアップ情報及び個別ウェイクアップ情報への、符号化されたウェイクアップ情報の分割を示す。
【発明を実施するための形態】
【００１９】
図１は、バス加入者１０１、１０２、及び１０３を備えるバスシステム１００を示す。これらバス加入者１０１、１０２、及び１０３はそれぞれ、トランシーバ又は媒体接続ユニット１０７、１０８、又は１０９と、クロックジェネレータが組み込まれた計時又はカウンタモジュール１０４、１０５、又は１０６と、を含む。このタイムジェネレータはそれぞれ、対応するトランシーバ又は媒体接続ユニットの外部に存在しうるが、対応するトランシーバ又は媒体接続ユニットの構成要素として形成されることも可能である。既に言及したように、本実施例では、多くの場合に車両内で利用されるＣＡＮバスを介して、必要な機能を実行するために必要とされる制御装置のみが選択的にウェイクアップされる。その際、同一のウェイクアップ情報に応答する装置は一群にまとめられる。
【００２０】
選択のためにメッセージ／ＣＡＮフレームの特定の部分（例えば、識別子）を利用することも１つの可能性であろう。しかしながら、このことは、ウェイクアップ装置が常に、基本的に電力消費に寄与する駆動中のクロックジェネレータと接続されていることを前提とする。この形態のウェイクアップは、バスの伝送レートが分かっており、かつ、クロックジェネレータが、例えば供給電圧又は温度のような外部からの影響により、非常に僅かな変動のみ有してよいということを条件とする。厳密な課題は、複数段階で機能し、かつ、第１の段階において、駆動中のクロックジェネレータが無くても問題のない選択方法を適用し又は開発することである。
【００２１】
アイドル状態にある、バスに接続された制御装置又は加入者、例えば１０２及び１０３は、自身のマイクロコントローラを完全に停止し、又は、クロックジェネレータが停止された状態に置かれる。クロックジェネレータを備えた計時又はカウンタモジュール１０５又は１０６もスリープモードに置かれ、組み込まれたクロックジェネレータが停止される。アイドル状態にある加入者、例えば１０２及び１０３内では、バスに接続された電力消費がより小さいＣＡＮトランシーバ又は媒体接続ユニットのみに予備電源が備えられる。
【００２２】
加入者、例えば１０１が、加入者１０２及び／又は１０３のウェイクアップに特徴的な信号をバス上で送信すると、選択機構が活性化される。第１のステップにおいて、加入者１０２及び１０３は節電モードに変わり、送信されたバス信号のエッジを数える。クロックジェネレータを備えた計時又はカウンタモジュール１０５又は１０６が活性化される。エッジ計測の結果に従って、中間モードへの変更が行われる。中間モードでは、クロックジェネレータ１０５又は１０６を利用してデータフィールドの内容が複号され、格納されたウェクアップアドレスと比較される。肯定的（ポジティブ）な結果の場合には、加入者はアクティブモードに変わり、例えば、加入者１０２又は１０３のマイクロコントローラ及び／又は更なる別の電圧調整器が活性化される。
【００２３】
本発明は、本方法の２つのステップが、受信された１つのメッセージの評価に基づいて行われる１段階のウェイクアップ構想として可能である。しかしながら、ウェイクアップ信頼性をさらに向上させるために、本方法の２つのステップは、２つの相前後して受信されるメッセージの評価に基づいて行われる２段階のウェイクアップ構想としても実施されうる。
【００２４】
複数の装置が同一のウェイクアップ機構又は同一の特徴的な信号に応答する場合に、装置群全体が起動され、又は、装置が一群にまとめられる。本発明にかかる措置により同時に、特別な装置を特別な適用のためにウェイクアップさせるという可能性も獲得される。
【００２５】
ロジック（Ｌｏｇｉｋ）の構成により、後にさらに詳細に解説するように、利用される伝送レートに依存せずに、メッセージ上で情報を取り出すことも可能である。その際に、ハイ（Ｈｉｇｈ）とロー（Ｌｏｗ）、又は、０と１の変更回数、即ち、２進情報は引き続き一定である。
【００２６】
特に好適に、ウェイクアップメッセージは、ＣＡＮバスＩＳＯ規格に従って構成されたメッセージであり、このウェイクアップメッセージは、ＩＳＯ規格に違反していないため、既存システムにおいて問題を引き起こさない。他の解決策において利用されるようなＣＡＮコントローラは、ここでは必要ではない。
【００２７】
図２には、原則的なフロー計画が例として示されている。ウェイクアップ要求の送信者は、ウェイクアップすべき受信者又は受信者群が番号に符号化された、図３に対応するメッセージＡを、本例のＣＡＮバスのようなバス上で送信する。アイドル状態では、バスはレセッシブ（ｒｅｚｅｓｓｉｖ）である。第１のメッセージが到着した場合、このことはドミナントへの変更で検出され図２のブロック１で行われるのだが、カウンタが活性化される。並行して、計時又はカウンタモジュール１０５又は１０６のクロックジェネレータが開始される。複数の要因により影響を受ける特定の時間に渡って、図２のブロック２において、メッセージのエッジの数、又は、信号レベルの数も数えられる。この数が、許容値内にある場合には、回路の第２の部分が活性化される。これにより、バス上での通信又はノイズと、ウェイクアップ要求と、の第１の分離が達成される。この比較が肯定的（ポジティブ）な結果の場合に、即ち、ウェイクアップ要求が関わっている場合には、ロジックの第２段に電力が供給される。送信者は、２回目の図３に対応するメッセージＡを送信する。このメッセージＡから、ウェイクアップ・ロジック（Ｗａｋｅ−Ｕｐ−Ｌｏｇｉｋ）、特に処理ユニットは、計時又はカウンタモジュール１０５又は１０６を利用して、以下で記載される更なる別の方法に従って、データフィールドから、ウェイクアップすべき装置又は装置群の番号を読出す。このことは、図２のブロック３において行われる。読み出された番号が、格納されている番号と一致する場合に、図２のブロック４において、電圧調整器の活性化を介して、又はマイクロコントローラのウェイクアップを介して、装置が活性化され、対応する加入者がバストラフィックに関与する。このことは、本発明にかかる方法に従って、個々の加入者について該当するが、加入者群についても該当し、後者の加入者群の場合には、１つのウェイクアップメッセージによって複数の加入者がウェイクアップされる。このフローチャートでは、先に記載したように、ブロック２と３とが組み合わさった２段階のウェイクアップ方法が示されている。同様に、２段階のうちの１つのみを、ウェイクアップ基準として利用することも可能である。
【００２８】
図３に対応して、メッセージＡは、ＣＡＮバスＩＳＯ規格としての好適な形態により構成されたメッセージとして利用される。その際に、スタート・オブ・フレーム（ＳＯＦ：Ｓｔａｒｔ  ｏｆ  Ｆｒａｍｅ）と、通常では識別子を含むアービトレーション・フィールドと、制御フィールドと、がデータフィールドの前に設けられる。データフィールドに続いて、巡回冗長検査としての検査数字ＣＲＣと、メッセージ伝送に関する確認フィールド、アクノレッジメント（Ａｃｋｎｏｗｌｅｄｇｅｍｅｎｔ）ＡＣＫと、が含まれる。メッセージＡは、データフィールド内に、装置又は装置群の番号を含む。ＣＡＮ識別子として、ウェイクアップＩＤ（Ｗａｋｅ−Ｕｐ−ＩＤ）、即ちＣＡＮ仕様書２．０に対応して、ｒｒｒ  ｒｒｒｄ  ｒｒｒｒが利用され、その際、ｒはレセッシブを意味し、ｄはドミナントを意味する。しかしながら、他のメッセージアドレスもウェイクアップメッセージのために設定されうる。これにより、フレーム（Ｆｒａｍｅ）は、ＣＡＮバス仕様書に対応し、ＣＡＮバスを介する他の装置の通信が妨害されない。
【００２９】
図３に示されるように、フレーム内、特にＣＡＮフレーム内のデータフィールド全体は、ここでは６４ビットから成り、８ブロック、即ちブロック０〜ブロック７に分割される。その際に各ブロック内では、少なくとも１ビットが装置番号に符号化される。各ブロック内で厳密に１ビットが装置番号に符号化される場合に、回路は、示されるようなＣＡＮフレームから、更なる処理のために８ビットを獲得出来る。これら８ビットのネスティング（Ｖｅｒｓｃｈａｃｈｔｅｌｕｎｇ）により、伝送におけるエラーを検出することが出来る。
【００３０】
図３の個々のブロック０〜７の特別な構成が図４に示されている。８ブロックのこの特別な構成によって、利用されるバスの伝送レートに依存せずに符号化が行われうる。追加的に、エラーがブロック構成において検出される。その際に、１ブロックはＣＡＮデータフィールドからの８ビットに相当する。
【００３１】
ブロックの構成が図４に例示されている。ここでは、時間ｔを測定し又は決定するために、ビット２及び３はハイである。ビット３の終了後に、ウェイクアップ・ロジック又は処理ユニットは、前もって決定された時間ｔの経過を一度待ち、その後発生する状態を格納し、時間ｔの経過を更に一度待ち、その後再び、新たに発生した状態を格納する。その際に、図４に示されるような時間ｔ及び２ｔは、信号レベルのフレーム内でハイ又はロー信号が完全に（ｆｕｌｌ）検出されうるように、選択される。同様に、例えば、ビット４からビット５へ、及び、ビット６からビット７への信号エッジの検出が、各時間区分の対応する選択によって構想されうる。これにより、利用される伝送レートに依存せずに、ここではビット５及び６における０情報について、及び、ここではビット７から８に渡る１情報について符号化の可能性が得られる。
【００３２】
即ち、図４における例示的な符号化においては、時間ｔを測定するために、ビット１は常に０で、ビット２及び３は常に１であり、ビット４は、測定時間と、本来の２進情報とを分けるために、常に０である。ビット５及び６は、ここでは、当該ビット５及び６がハイであるように選択され、このことは、ブロックについては論理的０を意味する。ビット７及び８は、ブロックについて論理的１を意味するように、選択される。即ち、ビット５及び６が１である場合には、ブロックは論理的０を含み、ビット７及び８が１である場合には、ブロックは論理的１を含む。即ち、ここではビットは、ビット５及び６が１であり、又は、ビット７及び８が１であるように、設定される。即ち、ここで挙げられる方法は、特に、一方では、複数段階の構想における第１のウェイクアップ段階として、各所定の信号特性に従ってエッジ若しくはエッジ変更、又は、対応する信号レベルを数えることによる、及び、第２の選択的なウェイクアップ段階として、同一のメッセージ内又は新たに送信されたメッセージ内の符号化された２進情報の評価における、伝送線に依存しない（ｂａｕｄｒａｈｔｅｎｕｎａｂｈａｅｎｇｉｇ）伝送を示している。その際に、所定の信号特性は、既に言及したように、一方では、信号レベル、即ち、図４の例のように１又は０であってもよいが、既に記載されたように、信号エッジ又は信号エッジ変更の評価であってもよい。これにより、追加的な電力コストを有することなく、かつ、常に全ての加入者が、バスシステムの必要とされない加入者も電力消費することなく、制御装置を選択的にウェイクアップさせるという可能性が得られる。
【００３３】
選択的なウェイクアップ機能を備えるＣＡＮトランシーバのための設定可能性が、本発明によって、１つのパターンのみならず、少なくとも２つのパターンが設定されるという程度にまで拡大される。パターンは、個々の加入者を個別にウェイクアップさせるために役立ち、このパターン又は更なる別のパターンは、加入者群をウェイクアップさせるために役立つ。設定されたパターンの適切な選択によって、全てのウェイクアップパターンが別々に格納され又は設定される必要がないということが実現される。
【００３４】
本方法の利点は、アプリケーションプログラムが、１つのＣＡＮメッセージによって、複数のＣＡＮノードを同時に節電モードからウェイクアップしうることにある。このことにより、ＣＡＮバス上の時間及び帯域幅が節約される。個々のＣＡＮノードをウェイクアップさせる可能性は、第２のパターンによって確保されたままである。
【００３５】
例えばＣＡＮトランシーバのようなＩＣを、ウェイクアップ機能に対応して設定するための可能性が、基本的に４つ存在する。
１．ＩＣ内での固定の符号化（ＲＯＭ）
２．各作動後に外部から（例えばＳＰＩにより）設定される必要がある揮発性メモリ
３．製造ラインの最後に（Ｂａｎｄ−Ｅｎｄｅ）プログラムされる不揮発性メモリ（ＥＰＲＯＭ、ＥＥＰＲＯＭ、Ｆｌａｓｈ）
４．ビットザッピング（Ｂｉｔ−Ｚａｐｐｉｎｇ）、個々のビットがヒューズ（Ｆｕｓｅ）／アンチヒューズ（Ａｎｔｉｆｕｓｅ）技術により、製造ラインの最後に継続的に設定される。
【００３６】
ヴァージョン１は、個数が非常に大きい場合に各個々の符号化のために適している。
ヴァージョン２は、固有のプログラマインタフェースを必要とする。
ヴァージョン３は、製造時のより高いコスト（追加的なプロセス・ステップ）の原因となる。
ヴァージョン４は、小さいビットのために適用されうる。
【００３７】
ウェイクアップパターンが同じである複数のＣＡＮノードが設定される場合には、これらＣＡＮノードは同時にウェイクアップされうるが、個別には起動されえない。従って、代替的なウェイクアップパターンを有効化することが有効である。その場合、各ＣＡＮノードは、別のウェイクアップパターンを有することが出来る。即ち、ＣＡＮノード群は、同一の代替的なウェイクアップパターンを利用し、このウェイクアップパターンによって、ＣＡＮノード群は同時にウェイクアップされうる。一例を以下に記載し、図５に示す。
【００３８】
（特にザッピング設定のために）設定ビットを節約するために、代替的なウェイクアップパターンが特に符号化され、例えば、ウェイクアップパターンのｎビットが、（２ｎ−１）個の別のウェイクアップパターンと、グループ・ウェイクアップパターンと、を定めるために選択される。ウェイクアップパターンの残りの（８−ｎ）ビットは、このウェイクアップグループのノードについて同一である。即ち、ウェイクアップ群が、例えば７つのＣＡＮノードから成る場合には、例えば、ウェイクアップパターンの後ろの３ビットが、個々のノードを別々にウェイクアップさせるために利用される。３ビットによって、８つの組み合わせが得られる。例えば、１と７との組み合わせによって、ウェイクアップグループの加入者が別々にウェイクアップされ、０の組み合わせによって、全てが同時にウェイクアップされる。これにより、各ノードについて、別々のウェイクアップパターンと、代替的なウェイクアップパターンと、が存在し、その際、追加的に設定ビットが必要となることはない。図５で示す例において選択された、ウェイクアップパターンの選択によって、設定の際、例えばビットザッピングの際の個別の選択的なウェイクアップパターンの調整に限定することが可能となる。加入者が自身の個別のウェイクアップパターン、示される例では、１１０１０１０１を受信する場合に、又は、加入者が、最初の５ビットの後に３つの論理的０が連続する自身の１１０１００００を受信する場合に、ウェイクアップされる。一群のために有効なウェイクアップパターンは、このようにして潜在的に（ｉｍｐｌｉｃｉｔ）格納される。
【００３９】
ウェイクアップグループの他の符号化および他の変数も同然のことながら可能である。
【００４０】
ここで記載されるＣＡＮトランシーバは、ＣＡＮ及び／又はＴＴＣＡＮネットワークのために利用されうる。
【図１】
2013504831.tif 000003
【図２】
2013504831.tif 000004
【図３】
2013504831.tif 000005
【図４】
2013504831.tif 000006
【図５】
2013504831.tif 000007
【国際調査報告】
2013504831.tif 000008
2013504831.tif 000009
2013504831.tif 000010
2013504831.tif 000011